(57)【特許請求の範囲】
【請求項１】
活性炭からなり上下に順次折り曲げた形状のプリーツ状に形成された消臭材を浴槽蓋本体の下面に設けて成ることを特徴とする浴槽蓋。
【請求項２】
消臭材と浴槽蓋本体との間に空間を設けて成ることを特徴とする請求項１に記載の浴槽蓋。
【発明の詳細な説明】
【０００１】
【発明の属する技術分野】
本発明は、家庭用浴槽、或いは公共用浴槽内の臭気物質を吸着・分解除去すると共に浴槽水の水温低下を抑える浴槽蓋に関するものである。
【０００２】
【従来の技術】
浴槽の上面を覆うための浴槽蓋としては、プラスチック製で中空状に成形され、このような浴槽蓋を複数枚用いることによって浴槽上面を覆うことができるものや、複数の中空形状の浴槽蓋を回動自在に組み合わせて渦巻き状に巻き取ることができるものといったように多様な形状を成して浴槽上面を覆うことができるもの等が従来から存在し、このような浴槽蓋によって浴槽内の気密を高く維持すると共に、中空形状や断熱材等を採用することにより浴槽水と浴槽外気との熱伝達を低減して、浴槽水温度の低下を抑えるようにしている。
【０００３】
【発明が解決しようとする課題】
しかしながら、公衆浴場等においては浴槽水を定期的に殺菌して衛生的に保つための遊離塩素が投入されたり、また一般家庭においても水道水中には衛生的に維持するため残留塩素が存在する上、人の入浴による汗や垢等の成分が浴槽内で繁殖した微生物により生分解されてアンモニア等が生成されるといったように、これら様々な臭気成分が浴槽水中に存在し、浴槽水と浴槽蓋の間の気層中にこれらの臭気物質が高濃度で充満するため、特に入浴時において浴槽蓋を取り外した時に不快感を感じるものであった。
【０００４】
本発明は上記の点を鑑みてなされたものであり、浴槽水と浴槽蓋の間の気層中に充満した臭気成分を効果的に除去するとともに、塩素による殺菌においては浴槽水の殺菌効果を低減させずに臭気物質のみを除去することができる浴槽蓋を提供することを目的とするものである。
【０００５】
【課題を解決するための手段】
本発明の請求項１に記載の浴槽蓋２８は、活性炭からなり上下に順次折り曲げた形状のプリーツ状に形成された消臭材３２を浴槽蓋本体２８ａの下面に設けて成ることを特徴とするものである。
【０００６】
また本発明の請求項２に記載の浴槽蓋２８は、請求項１の構成に加えて、消臭材３２と浴槽蓋本体２８ａとの間に空間３７を設けて成ることを特徴とするものである。
【０００８】
【発明の実施の形態】
以下、本発明の参考例及び実施の形態を説明する。
【０００９】
図８に、浴槽に設置される浴槽水浄化装置の配管構成を示す。浴槽１内の浴槽水中には吸・吐水口１５を配設し、循環流路２の一端をこの吸・吐水口１５に接続すると共に、他端もこの吸・吐水口１５に接続している。この循環流路２には、上流側から下流側にかけて、順に、ポンプ３、ろ過槽２４、第一開閉弁１６を設けている。ろ過槽２４は、循環流路２を流通する浴槽水のろ過を行うための、中空糸膜からなる浄化膜４が内装されている。この浄化膜４は、ろ過槽２４内を循環流路２の上流側と下流側に仕切るように配設するものである。またろ過槽２４には、浄化膜４の上流側に、複数の流水吐出口１０を有する回転自在な洗浄用ノズル５を設けている。この洗浄用ノズル５は、ろ過槽２４に設けられたモータ９の働きにより浄化膜４の上流側の外周を回転するように構成するものであり、また回転と同時に流水吐出口１０から浴槽水を浄化膜４の上流側の表面に吐出して浄化膜４を上流側において洗浄するようになっている。また循環流路２のポンプ３とろ過槽２４との間からは、バイパス流路１１を分岐しており、このバイパス流路１１の下流側の端部を、吸・吐水口１５に接続している。このバイパス流路１１には、上流側から下流側にかけて、第二開閉弁１７、第三開閉弁１８、ヒータ８を順に設けている。またバイパス流路１１の第二開閉弁１７と第三開閉弁１８との間からは、第一補助流路１２を分岐して設けている。この第一補助流路１２には、上流側から下流側にかけて、順に第一切替弁２０、電解電極槽６、第四開閉弁１９を設けている。また第一切替弁２０と電解電極槽６とを、別の分岐流路１３にて接続し、この分岐流路１３に塩溶解槽７を設けている。ここで塩溶解槽７は、内部に塩化ナトリウムが収容されるものである。また第一補助流路１２の下流側の他端は循環流路２のろ過槽２４よりも上流側に連通接続している。ここで第一切替弁２０は、第一補助流路１２と分岐流路１３との分岐点において、第一補助流路１２の上流側、第一補助流路１２の下流側、分岐流路１３側のそれぞれへの流通を開閉するものである。
【００１０】
上記の電解電極槽６は、容器内に一対の不溶性電極板からなる電極を、隔膜を介することなく対向配置した無隔膜タイプのものとして形成している。この容器内の水に、塩溶解槽７から供給された塩化ナトリウムが溶解している場合、一対の電極間に電圧を印加すると、塩化ナトリウムの電気分解により塩素（Ｃｌ2）や次亜塩素酸イオン（ＣｌＯ-）が発生し、洗浄殺菌水を生成することができるものである。
【００１１】
また上記のろ過槽２４には、浄化膜４の上流側において、第二補助流路２３の一端部を連通接続しており、この第二補助流路２３の他端部は、循環流路２の、ポンプ３よりも上流側に連通接続している。この第二補助流路２３からは排水流路１４を分岐して設けており、この第二補助流路２３と排水流路１４との分岐点には、第二切替弁２１を設けている。ここで第二切替弁２１は、第二補助流路２３と排水流路１４との分岐点において、第二補助流路２３のポンプ３側、第二補助流路２３のろ過槽２４側、排水流路１４側のそれぞれへの流通を開閉するものである。
【００１２】
ここで、第一開閉弁１６、第二開閉弁１７、第三開閉弁１８、第四開閉弁１９、第一切替弁２０、第二切替弁２１のそれぞれのものは、電磁弁、電動弁等にて形成することができる。
【００１３】
また上記のろ過槽２４は、外部から浄化膜４の上流側に酸及び酸素系洗浄剤を投入できるように形成するものであり、例えば、浄化膜４の下流側を開口すると共に、この開口を閉ざす蓋体２５を着脱自在に設け、更に浄化膜４をこの開口からろ過槽２４外へ脱離可能に設け、蓋体２５を脱離させた後浄化膜４を脱離し、この開口から上記酸及び酸素系洗浄剤を投入した後、浄化膜４及び蓋体２５を再び装着できるようにするものである。
【００１４】
また図１３に示すように、この浴槽水浄化装置には入力操作部と制御回路からなる制御部の制御回路を、配管上のポンプ３、電解電極槽６、ヒータ８、各開閉弁１６、１７、１８、１９、各切替弁２０、２１、並びにろ過槽２４のモータ９に接続して、使用者が入力操作部に入力する指示内容に従って、制御回路が配管上のポンプ３、電解電極槽６、ヒータ８、各開閉弁１６、１７、１８、１９、各切替弁２０、２１、並びにろ過槽２４のモータ９の動作を制御するようにしたものである。
【００１５】
図９は上記の構成の本発明の浴槽水浄化装置において、浴槽水の浄化時における装置内の浴槽水の流れを矢印で示すと共に、第一開閉弁１６、第二開閉弁１７、第三開閉弁１８、第四開閉弁１９、第一切替弁２０、第二切替弁２１の各弁のうち、閉状態となっている箇所を黒く塗りつぶすことで明示したものである。図９に示すように、浴槽水の洗浄時においては、第一開閉弁１６を開状態、第二開閉弁１７を開状態、第三開閉弁１８を開状態、第四開閉弁１９を閉状態とするものであり、また第一切替弁２０においては第一補助流路１２の上流側を閉状態、第一補助流路１２の下流側を開状態、分岐流路１３側を開状態とし、第二切替弁２１においては、第二補助流路２３のポンプ３側を開状態、第二補助流路２３のろ過槽２４側を閉状態、排水流路１４側を閉状態とするものである。このときポンプ３を作動させると、吸・吐水口１５からポンプ３にて吸引された浴槽水の一部は循環流路２をそのまま流れ、ろ過槽２４内に設けられた中空糸膜からなる浄化膜４を通過する際に、浴槽水中の垢、微生物、微生物の代謝生産物等の懸濁物質や汚濁物質が除去された後、吸・吐水口１５から浴槽１内に返送させるものである。また吸・吐水口１５からポンプ３にて吸引された浴槽水の他の一部は、ポンプ３の下流側においてバイパス流路１１に流れてヒータ８にて加熱され、吸・吐水口１５から浴槽１内へ返送されるものである。ここで、ヒータ８をバイパス流路１１に設けることで、中空糸膜からなる浄化膜４が目詰まりを起こして浄化膜４を通過するろ過流量が低下した場合でも、バイパス流路１１に一定量の浴槽水が流れるため、浴槽水の温度低下を起こさない構成となっている。
【００１６】
また上記のように浴槽水の浄化を行いながら、電解電極槽６の一対の電極間に電圧を印加することにより、電解電極槽６内において洗浄殺菌水を生成することができるものである。このときは、あらかじめ電解電極槽６中に塩化ナトリウムが供給されている状態で、一定時間一定電圧を印加することにより、電解電極槽６中に洗浄殺菌水を生成させるものである。
【００１７】
図１０は、ろ過槽２４の浄化膜４の物理的洗浄時における装置内の浴槽水の流れを矢印で示したものである。図１０に示すように、浄化膜４の物理的洗浄時においては、第一開閉弁１６を閉状態、第二開閉弁１７を閉状態、第三開閉弁１８を閉状態、第四開閉弁１９を閉状態とするものであり、また第一切替弁２０においては第一補助流路１２の上流側を閉状態、第一補助流路１２の下流側を開状態、分岐流路１３側を開状態とし、第二切替弁２１においては、第二補助流路２３のポンプ３側を開状態、第二補助流路２３のろ過槽２４側を開状態、排水流路１４側を閉状態とするものである。またこのときろ過槽２４に設けられた洗浄用ノズル５をモータ９にて回転させるものである。このときポンプ３、浄化膜４、及びろ過槽２４に備えられた洗浄用ノズル５を含む閉流路が形成され、浴槽水がこの閉流路を循環するものである。すなわち循環流路２を通ってろ過槽２４へ達した浴槽水は、回転する洗浄用ノズル５の流水吐出口１０から浄化膜４の表面に向けてまんべんなく吹きつけられ、水流の勢いにより浄化膜４表面の付着物を除去し、更に第二補助流路２３を通じて循環流路２のポンプ３よりも上流側に送られて、再びろ過槽２４へと送られる。このようにして一定時間浄化膜４の物理洗浄を行った後、図１１に示すように、各開閉弁１６、１７、１８、１９を図１０と同様の状態に維持したまま、第二切替弁２１を、第二補助流路２３のポンプ３側を閉状態、第二補助流路２３のろ過槽２４側を開状態、排水流路１４側を開状態とする。このようにすると、浄化膜４の物理洗浄に用いられ、懸濁物質や汚濁物質が混入した閉流路内の浴槽水が、排水流路１４を通じて装置外部へ排出されるものである。そしてこのようにして一定時間排水を行った後、各開閉弁１６、１７、１８、１９及び各切替弁２０、２１を図９に示すような状態へ復帰させて、再び浴槽水の浄化を行うものである。
【００１８】
図１２は、浄化膜４の殺菌洗浄時における装置内の浴槽水の流れを矢印で示したものである。浄化膜４の殺菌洗浄時においては、図９に示す状態で電解電極槽６にて殺菌洗浄水を生成した後、図１２に示すように、第一開閉弁１６を開状態、第二開閉弁１７を開状態、第三開閉弁１８を開状態、第四開閉弁１９を開状態とするものであり、また第一切替弁２０においては第一補助流路１２の上流側を開状態、第一補助流路１２の下流側を閉状態、分岐流路１３側を開状態とし、第二切替弁２１においては、第二補助流路２３のポンプ３側を開状態、第二補助流路２３のろ過槽２４側を閉状態、排水流路１４側を閉状態とするものである。このようにすると、図９に示す浴槽水の浄化時の流路に加えて、通常の循環流路２から分岐して分岐流路１３を通って、塩溶解槽７、電解電極槽６を順に通り、再び循環流路２の、ろ過槽２４よりも下流側に接続される流路が形成され、電解電極槽６にて生成された殺菌洗浄水が、浄化膜４を通過するようにするものであり、この殺菌洗浄水中の塩素（Ｃｌ2）、次亜塩素酸イオン（ＣｌＯ-）により、浄化膜４の付着物を分解すると共に、殺菌を行うものである。またこのとき同時に塩溶解槽７を通過して塩溶解槽７中の塩化ナトリウムが溶解した浴槽水が電解電極槽６に供給され、次回の浄化膜４の殺菌洗浄に用いるための殺菌洗浄水の生成に利用されるものである。そして続いて各開閉弁１６、１７、１８、１９及び各切替弁２０、２１を制御して図９に示す状態とし、再び浴槽水の浄化を行うものである。
【００１９】
図１、２に、浴槽水浄化装置の設置形態を示す。浴槽１のコーナー部に据え置き台２７を設置し、据え置き台２７は浴槽１に、Ｌ字型取り付け金具（図示せず）等により固定されている。この据え置き台２７上には浴槽水浄化装置２６を配置し、更に固定金具（図示せず）等により浴槽水浄化装置２６を据え置き台２７に固定している。浴槽水浄化装置２６には、浴槽１内に向けて下方に突出する導水管３３が設けられ、この導水管３３の下端に吸・吐水口１５が設けられる。浴槽ｌの上面には、直方体状の中空の板体に、浴槽水浄化装置２６の形状に沿った形状の切り欠き３９を設けて形成された浴槽蓋本体２８ａの下面に消臭材３２を設けてなる浴槽水浄化装置専用の浴槽蓋２８と、市販されているような通常の直方体状の中空の板体である浴槽蓋２９が配置されることにより、浴槽１に蓋をすることができる。
【００２０】
本発明では、水道水中にあらかじめ混入され、あるいは浴槽水浄化装置２６内部の電解電極槽６で電気分解により生成された塩素（Ｃｌ2）、汗や垢の分解物であるアンモニア（ＮＨ3）、これらの化合物であるクロラミン（ＮＨ2Ｃｌ等）等の臭気物質を吸着除去するために、浴槽蓋本体２８ａの下面に繊維状活性炭シート３２ａ等の、活性炭からなる消臭材３２を取り付けることにより、浴槽水浄化装置用の浴槽蓋２８を形成したものである。この繊維状活性炭シート３２ａには、銀イオンを担持させることで繊維状活性炭シート３２ａ上での微生物の繁殖を阻止できるようにすることが好ましい。
【００２１】
図１に、浴槽水浄化装置２６と浴槽蓋２８、２９を浴槽１に設置したときの気流３６並びに水流３５の流れを示す。浴槽１内の一方の内側面付近に設置された吸・吐水口１５より浴槽１内へ浴槽水が排出されると、浴槽１内には、矢印３５に示したように吸・吐水口１５から、吸・吐水口１５付近の浴槽１内の一方の内側面３８ａと対向する他方の内側面３８ｂに向かって水流３５が発生する。この水流３５は、浴槽１内の他方の内側面３８ｂ近辺でその流速が低下すると共に、水流の方向が反転し、吸・吐水口１５方向へ流れ、吸・吐水口１５より再び浴槽水浄化装置２６内部へポンプ３で吸引される。ここで浴槽１内の浴槽水と浴槽蓋２８、２９との間の気層においては水流３５によって矢印３６で示される気流が発生し、この気流３６は水流３５の流速が大きい吸・吐水口１５上部の気層で循環することとなる。そして、このような浴槽水浄化装置２６が設けられた浴槽１においては、気流３６の流速が速い、吸・吐水口１５上部に位置する浴槽水浄化装置２６の周囲に、消臭材３２が設けられた浴槽蓋２８を設置することが好ましい。
【００２２】
上記のようにして浴槽水を浄化し、また定期的に浄化膜４の物理洗浄及び殺菌洗浄を行う浴槽水浄化装置２６を設置した浴槽１においては、浴槽水浄化装置２６の浄化膜の殺菌洗浄のために浴槽水浄化装置２６内で、電気分解によって生成される塩素（Ｃｌ2）が浴槽１内の浴槽水に混入される。また浴槽１内の浴槽水中では、入浴を繰り返すと汗や垢の分解物であるアンモニア（ＮＨ3）が生成し、更に上記の塩素とアンモニアが結合して、クロラミン（ＮＨ2Ｃｌ等）等が生成する。そしてこれらの塩素、アンモニア、クロラミン等の臭気物質が浴槽水から揮発し、浴槽１内の浴槽水と浴槽蓋２８、２９との間の気層中に移行して充満すると、入浴時に蓋を開けた際に臭気物質が充満した空気を吸い込んで不快感を抱くこととなる。しかし本発明においては、繊維状活性炭シート３２ａ等の消臭材３２を、浴槽蓋本体２８ａの下面に設けたため、浴槽１内の浴槽水と浴槽蓋２８、２９との間の気層中に存在する臭気物質を、この消臭材３２に吸着させることができるものであり、そのため入浴時に浴槽蓋２８、２９を開けた際に臭気物質が充満した空気を吸い込んで不快感を抱くようなことを防ぐことができるものである。ここで繊維状活性炭シート３２ａ等の消臭材３２は、上記のように、気流３６の流速が速い、吸・吐水口１５の上方に設けると、消臭材３２にこの速い気流３６にて順次浴槽水から揮発した臭気物質が供給され、浴槽１内の浴槽水と浴槽蓋２８、２９との間の気層中に存在する臭気物質を効率良く吸着除去することができる。また多孔質の活性炭よりなる消臭材３２を浴槽蓋２８の下面に設けることにより、浴槽１内の浴槽水の保温性を向上することができるものである。
【００２３】
繊維状活性炭シート３２ａを設けた浴槽蓋２８としては、図３、４に示すものを用いることができる。この浴槽蓋２８の浴槽蓋本体２８ａは、ポリプロピレン等の合成樹脂にて成形することができ、内部が中空な直方体状の板体に成形することができる。この浴槽蓋本体２８ａのコーナー部の一角には、浴槽水浄化装置２６の形状に沿った形状の切り欠き３９を設けている。浴槽蓋本体２８ａの下面には、複数条の下方に突出する突起物３０を、間隔をあけて略平行に設ける。この突起物３０はポリプロピレン等の合成樹脂にて、浴槽蓋本体２８ａと一体に設けるものである。この突起物３０の下端には、繊維状の基材を掛着する面ファスナー３１ａ等の掛着片３１を、貼着する等して設けるものである。そして、このようにして形成される浴槽蓋本体２８ａの下方に、ヤシガラ製等の繊維状活性炭シート３２ａを配置し、繊維状活性炭シート３２ａの上面を、掛着片３１の下面に当接することにより、繊維状活性炭シート３２ａを掛着させて、繊維状活性炭シート３２ａが設けられた浴槽蓋２８を構成するものである。ここで、繊維状活性炭シート３２ａと、浴槽蓋本体２８ａとの間に、浴槽蓋本体２８ａの下面、突起物３０の側面、及び繊維状活性炭シート３２ａの上面にて囲まれる空間３７が形成される。
【００２４】
このようにして構成される浴槽蓋２８を用い、図１、２に示すように、繊維状活性炭シート３２ａが吸・吐水口１５の上方に配置するようにして、浴槽水浄化装置２６が設けられた浴槽１に蓋をすると、浴槽水から揮発した臭気物質を、繊維状活性炭シート３２ａにて吸着することができるものである。このとき繊維状活性炭シート３２ａの下面から、繊維状活性炭シート３２ａと浴槽蓋本体２８ａとの間の空間３７へ気流３６が透過することにより、繊維状活性炭シート３２ａへの気流３６の透過量が、繊維状活性炭シート３２ａを浴槽蓋本体２８ａの下面に密着して設ける場合に比べて増大し、アンモニアやクロラミン、塩素等の臭気物質を吸着除去する効果を向上することができる。
【００２５】
図３、４に示す浴槽蓋２８の形状を更に具体的に例示すると、浴槽蓋本体２８ａをポリプロピレンにて６００ｍｍ×４００ｍｍ×１５ｍｍの中空の板状（直方体状）に形成し、そのコーナー部の一角を浴槽水浄化装置２６の形状に沿って長径５００ｍｍ、短径２２０ｍｍの半楕円形状に削られた形状に形成することで、切り欠き３９を形成する。このとき浴槽蓋２８の内部の中空部と外部とを仕切る樹脂部分の肉厚は２ｍｍとする。また浴槽蓋本体２８ａの下面には２０ｍｍ×３００ｍｍ×２０ｍｍの形状を成したポリプロピレン製の突起物３０を等間隔で３カ所に設置する。この突起物３０の下面には面ファスナー３１ａを貼着し、この面ファスナー３１ａによって４００ｍｍ×３００ｍｍ×１０ｍｍに成形されたヤシガラ製の繊維状活性炭シート３２ａを掛着固定する。
【００２６】
また繊維状活性炭シート３２ａを設けた浴槽蓋２８としては、図５に示すものを用いることもできる。この浴槽蓋２８の浴槽蓋本体２８ａは、ポリプロピレン等の合成樹脂にて成形することができ、内部が中空な直方体状の板体に成形することができる。この浴槽蓋本体２８ａのコーナー部の一角には、浴槽水浄化装置２６の形状に沿った形状の切り欠き３９を設けている。浴槽蓋本体２８ａの下面には、複数条の下方に開口する凹条４２を、間隔をあけて略平行に設ける。この隣合う凹条４２の間に配置される浴槽蓋本体２８ａの下面の平坦面には、繊維状の基材を掛着する面ファスナー３１ａ等の掛着片３１を、貼着する等して設けるものである。そして、このようにして形成される浴槽蓋本体２８ａの下方に、ヤシガラ製等の繊維状活性炭シート３２ａを配置し、繊維状活性炭シート３２ａの上面を、掛着片３１の下面に当接することにより、繊維状活性炭シート３２ａを掛着させて、繊維状活性炭シート３２ａが設けられた浴槽蓋２８を構成するものである。ここで、繊維状活性炭シート３２ａと、浴槽蓋本体２８ａとの間に、浴槽蓋本体２８ａの凹条４２の内面及び繊維状活性炭シート３２ａの上面にて囲まれる空間３７が形成される。
【００２７】
このようにして構成される浴槽蓋２８を用い、図１、２に示すように、繊維状活性炭シート３２ａが吸・吐水口１５の上方に配置するようにして、浴槽水浄化装置２６が設けられた浴槽１に蓋をすると、浴槽水から揮発した臭気物質を、繊維状活性炭シート３２ａにて吸着することができるものである。このとき繊維状活性炭シート３２ａの下面から、繊維状活性炭シート３２ａと浴槽蓋本体２８ａとの間の空間３７へ気流３６が透過することにより、繊維状活性炭シート３２ａへの気流３６の透過量が、繊維状活性炭シート３２ａを浴槽蓋本体２８ａの下面に密着して設ける場合に比べて増大し、アンモニアやクロラミン、塩素等の臭気物質を吸着除去する効果を向上することができる。
【００２８】
図５に示す浴槽蓋２８の形状を更に具体的に例示すると、浴槽蓋本体２８ａをポリプロピレンにて６００ｍｍ×４００ｍｍ×１５ｍｍの中空の直方体状の板体に形成し、そのコーナー部の一角を浴槽水浄化装置２６の形状に沿って長径５００ｍｍ、短径２２０ｍｍの半楕円形状に削られた形状に形成することで、切り欠き３９を形成する。このとき浴槽蓋本体２８ａの内部の中空部と外部とを仕切る樹脂部分の肉厚は２ｍｍとする。また浴槽蓋本体２８ａの下面には、長径５００ｍｍ、短径２２０ｍｍの楕円を長径にて切断した形状の半楕円状の断面形状を有する凹条４２を、２０ｍｍ間隔で平行に設け、浴槽蓋本体２８ａの下面の、隣り合う凹条４２の間は、平坦面に形成する。この平坦面の下面には面ファスナー３１ａを貼着し、この面ファスナー３１ａによって４００ｍｍ×３００ｍｍ×１０ｍｍに成形されたヤシガラ製の繊維状活性炭シート３２ａを掛着固定する。
【００２９】
また繊維状活性炭シート３２ａを設けた浴槽蓋２８としては、図６、７に示すものを用いることもできる。この浴槽蓋２８の浴槽蓋本体２８ａは、ポリプロピレン等の合成樹脂にて成形することができ、内部が中空な直方体状の板体に成形することができる。この浴槽蓋本体２８ａのコーナー部の一角には、浴槽水浄化装置２６の形状に沿った形状の切り欠き３９を設けている。浴槽蓋本体２８ａの下面は平坦に形成する。この浴槽蓋本体２８ａの下面には、繊維状の基材を掛着する面ファスナー３１ａ等の掛着片３１を、所定の間隔で複数個貼着する等して設けるものである。一方、消臭材３２であるヤシガラ製等の繊維状活性炭シート３２ａは、断面鋸刃状（プリーツ状）に凹凸状に形成するものであり、浴槽蓋本体２８ａの下方に、繊維状活性炭シート３２ａを配置し、繊維状活性炭シート３２ａの上面の凸部４０を、掛着片３１の下方に位置合わせして掛着片３１に当接することにより、繊維状活性炭シート３２ａを掛着させて、繊維状活性炭シート３２ａが設けられた浴槽蓋２８を構成するものである。ここで図７では、活性炭シート３２ａとして、上面の凸部４０と下面の凸部の先端を、平坦に形成したものを用いている。このとき、繊維状活性炭シート３２ａと、浴槽蓋本体２８ａとの間に、浴槽蓋本体２８ａの下面及び繊維状活性炭シート３２ａの上面の凹部４１内面にて囲まれる空間３７が形成される。
【００３０】
このようにして構成される浴槽蓋２８を用い、図１、２に示すように、繊維状活性炭シート３２ａが吸・吐水口１５の上方に配置するようにして、浴槽水浄化装置２６が設けられた浴槽１に蓋をすると、浴槽水から揮発した臭気物質を、繊維状活性炭シート３２ａにて吸着することができるものである。このとき繊維状活性炭シート３２ａの下面から、繊維状活性炭シート３２ａと浴槽蓋本体２８ａとの間の空間３７へ気流３６が透過することにより、繊維状活性炭シート３２ａへの気流３６の透過量が、繊維状活性炭シート３２ａを浴槽蓋本体２８ａの下面に密着して設ける場合に比べて増大し、アンモニアやクロラミン、塩素等の臭気物質を吸着除去する効果を向上することができる。また消臭材３２の、浴槽蓋本体２８ａ下面との接触面が、上面に突出する凸部４０の先端となるものであり、浴槽蓋本体２８ａ下面と消臭材３２との接触面積を小さくすることができ、消臭材３２の底面から上面への透過流量を更に増大し、アンモニアやクロラミン、塩素等の臭気物質を吸着除去する効果を更に向上することができる。また繊維状活性炭シート３２ａは、断面鋸刃状（プリーツ状）等の凹凸状に形成することでその面積を広く形成することができ、単位設置面積当たりの消臭材３２量を増すことによってアンモニアやクロラミン、塩素等の臭気物質を消臭材３２により効果的に除去することができるものである。また浴槽１内の水蒸気が消臭材３２内で結露しても凹凸構造の底部に水滴が移動するため、水滴による消臭材３２の、外気に露出する部分の表面積が低下することを抑制し、消臭効果が低下することを防ぐことができるものである。
【００３１】
図７、８に示す浴槽蓋２８の形状を更に具体的に例示すると、浴槽蓋本体２８ａをポリプロピレンにて６００ｍｍ×４００ｍｍ×１５ｍｍの中空の板状（直方体状）に形成し、そのコーナー部の一角を浴槽水浄化装置２６の形状に沿って長径５００ｍｍ、短径２２０ｍｍの半楕円形状に削られた形状に形成することで、切り欠き３９を形成する。このとき浴槽蓋本体２８ａの内部の中空部と外部とを仕切る樹脂部分の肉厚は２ｍｍとする。また浴槽蓋本体２８ａの下面は平坦に成形する。この浴槽蓋本体２８ａの下面には、２０ｍｍ×３００ｍｍの面ファスナー３１ａを２０ｍｍ間隔で貼着する。一方ヤシガラ製の繊維状活性炭シート３２ａを、凹部４１と凸部４０の間隔が２０ｍｍの断面鋸刃状に形成する共に、４００ｍｍ×３００ｍｍの寸法に形成し、この繊維状活性炭シート３２ａを浴槽蓋本体２８ａの下方に配置すると共に、繊維状活性炭シート３２ａの上面の凸部４０と面ファスナー３１とを位置合わせし、面ファスナー３１ａによって繊維状活性炭シート３２を掛着固定する。
【００３３】
【実施例】
（参考例）
浴槽蓋本体２８ａをポリプロピレンにて６００ｍｍ×４００ｍｍ×１５ｍｍの中空の直方体状の板体に形成した。このとき浴槽蓋本体２８ａの内部の中空部と外部とを仕切る樹脂部分の肉厚は２ｍｍとした。また浴槽蓋本体２８ａの下面には、長径５００ｍｍ、短径２２０ｍｍの楕円を長径にて切断した形状の半楕円状の断面形状を有する凹条４２を、２０ｍｍ間隔で平行に設け、浴槽蓋本体２８ａの下面の、隣り合う凹条４２の間は、平坦面に形成した。この平坦面の下面には面ファスナー３１ａを貼着し、この面ファスナー３１ａによって３００ｍｍ×３００ｍｍ×１０ｍｍに成形されたヤシガラ製の繊維状活性炭シート３２ａを掛着固定して、図５に示すような浴槽蓋２８を作製した。ここで繊維状活性炭シート３２ａとしては、繊維径１０〜２０μｍの繊維状活性炭からなり、比表面積が１０００ｍ2／ｇのものを用いた。
【００３４】
（比較例）
繊維状活性炭シートを設けなかった以外は、参考例と同様にして行った。
【００３５】
（評価）
１６０リットルの浴槽水を満たした浴槽中の遊離塩素量を３２５ｍｇに設定し、この浴槽を、参考例及び比較例の浴槽蓋にて蓋をした。このような状態で、１時間放置した後、５人の人間に浴槽内の気層のにおいを嗅いでもらい、下記評価基準にて評価してもらった。そして、各人の評価結果の平均値を導出した。
・におい強度
５：強い臭い
４：楽に感知できる臭い
３：何の臭いか判るが弱い臭い
２：やっと感知できる臭い
１：無臭
・不快度
５：非常に不快
４：かなり不快
３：少し不快
２：あまり気にならない
１：全く気にならない
以上の結果、比較例では、臭い強度が４．７、不快度が４．３であったのに対して、参考例では、臭い強度が２．３、不快度が３．０であった。
【００３６】
【発明の効果】
上記のように本発明の請求項１に記載の浴槽蓋は、活性炭からなり上下に順次折り曲げた形状のプリーツ状に形成された消臭材を浴槽蓋本体の下面に設けるものであり、入浴により浴槽水中に混入する汗や垢等の生分解代謝物であるアンモニア等の生物臭や、浴槽水を衛生的に殺菌することにより供給される塩素、あるいはそれらの反応物であるクロラミン等の、浴槽内の気層中に充満した臭気物質を、消臭材により効果的に吸着・除去することができるものであり、また多孔質の活性炭からなる消臭材により浴槽水の保温性を向上することができるものである。また、浴槽蓋本体下面と消臭材との接触面積を小さくすることができ、消臭材の底面から上面への透過流量を増大することができるものであり、また単位設置面積当たりの消臭材量を増すことによってアンモニアやクロラミン、塩素等の臭気物質を消臭材により更に効果的に除去することができ、また浴槽内の水蒸気が消臭材で結露しても凹凸構造の底部に水滴が移動するため、水滴による繊維状活性炭の表面積低下を抑えることができるものである。
【００３７】
本発明の請求項２に記載の浴槽蓋は、請求項１の構成に加えて消臭材と浴槽蓋本体との間に空間を設けるものであり、浴槽蓋本体下面に消臭材を完全に密着させて設ける場合よりも、消臭材の底面から上面への透過流量が増大し、アンモニアやクロラミン、塩素等の臭気物質を消臭材により効果的に除去することができるものである。
【図面の簡単な説明】
【図１】  本発明の参考例の概略を示す概略断面図である。
【図２】  同上の一部の破断した斜視図である。
【図３】  本発明の参考例の一例を示す底面側からみた分解斜視図である。
【図４】  同上の断面図である。
【図５】  本発明の参考例の他例を示す断面図である。
【図６】  本発明の実施の形態の一例を示す底面側からみた斜視図である。
【図７】  同上の断面図である。
【図８】  浴槽水浄化装置の配管構成の一例を示す概略図である。
【図９】  同上の動作を示す概略図である。
【図１０】  同上の他の動作を示す概略図である。
【図１１】  同上の更に他の動作を示す概略図である。
【図１２】  同上の更に他の動作を示す概略図である。
【図１３】  同上の制御機構を示す概略図である。
【符号の説明】
２８  浴槽蓋
２８ａ  浴槽蓋本体
３２  消臭材
３７  空間
【図１】
0003704974.tif 000002
【図２】
0003704974.tif 000003
【図３】
0003704974.tif 000004
【図４】
0003704974.tif 000005
【図５】
0003704974.tif 000006
【図６】
0003704974.tif 000007
【図７】
0003704974.tif 000008
【図８】
0003704974.tif 000009
【図９】
0003704974.tif 000010
【図１０】
0003704974.tif 000011
【図１１】
0003704974.tif 000012
【図１２】
0003704974.tif 000013
【図１３】
0003704974.tif 000014